(57)【要約】【課題】一体積層型の電極シートを巻き込んで形成された電池要素を含む二次電池において、導電タブの配置構造を好適化して、電池要素を外装缶に組み込む際に導電タブが外装缶の缶開口に引っ掛かるのを解消する。【解決手段】帯状の絶縁性樹脂シート７の片面および他面には、正極側および負極側の集電体層８・９を形成する。これら集電体層８・９の外面に、正極用の活物質層１０と負極用の活物質層１１とを形成する。正極側および負極側の前記集電体層８・９に、それぞれ導電タブ１２・１３を固定して一体積層型の電極シート１を形成する。一対の導電タブ１２・１３のうち、正極側の導電タブ１２が電池要素３の最内周に位置し、負極側の導電タブ１３が電池要素３の最外周に位置するシート面の内側に位置するように、電極シート１を巻き込んで、導電タブ１３が電池要素３の周面に露出するのを防止する。【選択図】図２
2005196974.tif 000002
【特許請求の範囲】
【請求項１】
電極シートをセパレーターとともに巻き込んで所定形状に形成される電池要素と、前記電池要素を収容する外装缶と、電解液を含む二次電池であって、
前記電極シートは、帯状の絶縁性樹脂シートの片面および他面に、それぞれ異なる金属材で形成される正極側の集電体層と、負極側の集電体層とを形成し、これら集電体層の外面に正極用の活物質層と、負極用の活物質層とを形成し、正極側および負極側の前記集電体層のそれぞれに導電タブを固定して形成されており、
一対の前記導電タブが、所定形状に巻き込まれた前記電極シートの最外周のシート面より内側に配置されていることを特徴とする二次電池。
【請求項２】
一対の前記導電タブの一方が、所定形状に巻き込まれた前記電極シートの最外周に位置するシート面の内側に配置されており、
他方の導電タブが、所定形状に巻き込まれた前記電極シートの最内周に位置するシート面に配置されている請求項１記載の二次電池。
【請求項３】
一対の前記導電タブのそれぞれが、所定形状に巻き込まれた前記電極シートの、最内周に位置するシート面の外側と内側に配置してある請求項１記載の二次電池。
【請求項４】
前記電極シートの表面に露出する前記正極用の活物質層と、前記負極用の活物質層とのいずれか一方の外面に前記セパレーターが密着状に配されている請求項１または２または３記載の二次電池。
【請求項５】
前記電極シートを巻き込んだ状態において、相手側極性の活物質層と対向しない領域において前記正極用の活物質層と前記負極用の活物質層とが省略されて、前記正極側の集電体層と、前記負極側の集電体層とが露出している請求項１ないし４のいずれかに記載の二次電池。
【請求項６】
電極シートをセパレーターとともに巻き込んで所定形状に形成される電池要素と、前記電池要素を収容する外装缶と、電解液とを含む二次電池であって、
前記電極シートは、帯状の絶縁性樹脂シートの片面および他面に、それぞれ異なる金属材で形成される正極側の集電体層と、負極側の集電体層とを形成し、これら集電体層の外面に正極用の活物質層と、負極用の活物質層とを形成し、電池要素の最内周のシート面に導電タブが固定されており、
前記電池要素の最外周に露出する前記一方の集電体層が、前記外装缶の内面に直接に接触していることを特徴とする二次電池。
【発明の詳細な説明】
【技術分野】
【０００１】
本発明は、絶縁性シートの片面に正極側の集電体層と活物質層とが形成され、残る片面に負極側の集電体層と活物質層とが形成された、一体積層型の電極シートで構成される二次電池に関する。
【背景技術】
【０００２】
この種の二次電池は、絶縁性シートの表と裏に、正極側の集電体層と負極側の集電体層とを形成し、各集電体層の外面に正極用と負極用の活物質層とを形成して帯状の電極シートを構成する。得られた一体積層型の電極シートは、セパレーターとともに渦巻状に巻き込み、あるいは扁平に折り畳んでアルミラミネート製の外装袋に装填する。この種の電池は公知であり（特許文献１参照）、従来の二次電池に比べて、アルミラミネート製の外装袋の内部に装填した部材に占める活物質の量が多い分だけ、電池のエネルギー密度を向上し、電池容量の向上や電池の小形軽量化を実現できる。
【０００３】
特許文献１においては、ＰＥＴ樹脂シートの片面に銅膜を電気メッキにより形成して負極側の集電体とし、ＰＥＴ樹脂シートの他面にアルミニウム薄膜をラミネートして正極側の集電体を形成している。そこでは、絶縁性のシートの表面に、無電解メッキ法、あるいは蒸着やスパッタリングによって導電性の薄幕を形成し、この薄幕の外面にメッキによって必要な厚みの銅膜を形成する。導電性塗料を樹脂シートに塗布して導電性の薄幕を形成することも開示してある。
【０００４】
特許文献１の電池要素においては、各集電体の外面に正極用の活物質層と、負極用の活物質層をそれぞれ形成するが、相手側極性の活物質層と対向しない部分には活物質層を形成しないで、正負の各集電体を露出させ、そこに導電タブを超音波溶接して一体積層型の電極シートを構成している。電極シートを負極側の集電体が露出する側から一方向へ折り畳むことにより、扁平に折り畳まれた電池要素が得られる。この電池要素の最外周の外面には正極側の導電タブが露出する。
【０００５】
【特許文献１】特開平１１−５４１１１号公報（段落番号００１６、図１）
【特許文献２】特開２００３−３１２２４号公報（段落番号００１３、図１）
【発明の開示】
【発明が解決しようとする課題】
【０００６】
上記のように、絶縁性フィルムの表裏に正極、および負極側の集電体層を形成した一体積層型の電極シートは、従来の二次電池に比べて電池のエネルギー密度を向上できる。したがって、二次電池の容量の向上や小形化、軽量化を実現できる。しかし、特許文献１の二次電池によれば、電池要素の最外周の外面に正極側の導電タブが露出するため、電池要素を外装缶に装填する際に、導電タブが外装缶の開口縁に引っ掛かりやすく、外装缶に対する電池要素の組み込みを円滑に行えない。場合によっては、導電タブが変形し、あるいは破損することがある。
【０００７】
本発明の目的は、電池要素が一体積層型の電極シートを巻き込んで形成してある二次電池において、導電タブの配置構造を好適化して、導電タブが電池要素の最外周の外面に露出するのを解消し、以て、電池要素の外装缶に対する組み込みを円滑に行えるようにすることにある。
【課題を解決するための手段】
【０００８】
本発明の二次電池は、電極シート１をセパレーター２とともに巻き込んで所定形状に形成される電池要素３と、電池要素３を収容する外装缶４と、電解液とを含む。電極シート１は、帯状の絶縁性樹脂シート７の片面および他面に、それぞれ異なる金属材で形成される正極側の集電体層８と、負極側の集電体層９とを形成し、これら集電体層８・９の外面に正極用の活物質層１０と、負極用の活物質層１１とを形成し、正極側および負極側の前記集電体層８・９のそれぞれに導電タブ１２・１３を固定して形成する。以て、一対の導電タブ１２・１３が、所定形状に巻き込まれた電極シート１の最外周のシート面より内側に配置されていることを特徴とする（請求項１）。
【０００９】
具体的には、図２に示すように、一対の導電タブ１２・１３の一方を、所定形状に巻き込まれた電極シート１の最外周に位置するシート面の内側に配置し、他方の導電タブ１２を、所定形状に巻き込まれた電極シート１の最内周に位置するシート面に配置する（請求項２）。
【００１０】
あるいは、図４に示すように、一対の導電タブ１２・１３のそれぞれを、所定形状に巻き込まれた電極シート１の、最内周に位置するシート面の外側と内側に配置する（請求項３）。
【００１１】
電極シート１の表面に露出する正極用の活物質層１０と、負極用の活物質層１１とのいずれか一方の外面にはセパレーター２を積層固定する（請求項４）。
【００１２】
電極シート１を巻き込んだ状態において、相手側極性の活物質層と対向しない領域において正極用の活物質層１０と負極用の活物質層１１とを省略して、正極側の集電体層８と、負極側の集電体層９とを露出させることができる（請求項５）。
【００１３】
本発明の別の二次電池は、図７に示すように、電極シート１をセパレーター２とともに巻き込んで所定形状に形成される電池要素３と、電池要素３を収容する外装缶４と、電解液とを含む。そこでの電極シート１は、帯状の絶縁性樹脂シート７の片面および他面に、それぞれ異なる金属材で形成される正極側の集電体層８と、負極側の集電体層９とを形成し、これら集電体層８・９の外面に正極用の活物質層１０と、負極用の活物質層１１とを形成し、電池要素３の最内周のシート面に導電タブ１３を固定して形成する。電池要素３の最外周に露出する一方の集電体層８は、外装缶４の内面に直接接触するようになっている（請求項６）。
【発明の効果】
【００１４】
本発明では、帯状の絶縁性樹脂シート７の片面に、正極側の集電体層８と正極用の活物質層１０とを形成し、他面に負極側の集電体層９と負極用の活物質層１１とを形成して、一体積層型の電極シート１を形成した。そのうえで、各集電体層８・９に固定される導電タブ１２・１３が、所定形状に巻き込まれた電極シート１の最外周のシート面より内側に配置されて、導電タブ１２・１３が電池要素３の外周面に露出するのを防止している。したがって、本発明の二次電池によれば、電池要素３を外装缶４に組み込む際に、導電タブ１２・１３が外装缶４の開口縁に引っ掛かるのを解消でき、外装缶４に対する電池要素３の組み込みを円滑に行え、組み込み時に導電タブ１２・１３が破損したり、あるいは変形したりするのを一掃できる（請求項１）。
【００１５】
一対の導電タブ１２・１３のうち、例えば負極側の導電タブ１３は、所定形状に巻き込まれた電極シート１の最外周に位置するシート面の内側に配置し、正極側の導電タブ１２は、所定形状に巻き込まれた電極シート１の最内周に位置するシート面に配置する二次電池によれば、正負の導電タブ１２・１３が電池要素３の外周面に露出するのを防止しながら、両導電タブ１２・１３を内外に分離して配置できるので、導電タブ１２・１３の極性を明確に識別できる。したがって蓋５に接続する際の、導電タブ１２・１３の極性の間違いを確実に防止できる（請求項２）。
【００１６】
一対の導電タブ１２・１３がそれぞれ所定形状に巻き込まれた電極シート１の、最内周に位置するシート面の外側と内側とに配された二次電池によれば、導電タブ１２・１３を電極シート１の巻き込み中心に位置させて、幾重にも巻き込んだ電極シート層で保護できるので、電池要素３の取り扱い時や、電池要素３を蓋５に組み付ける場合などに導電タブ１２・１３を傷めることがない（請求項３）。
【００１７】
電極シート１の表面に露出する、正負の活物質層１０・１１のいずれか一方の外面にセパレーター２が積層固定されていると、電極シート１を巻き込んで電池要素３を形成する際に、電極シート１とセパレーター２との巻きずれを防止でき、１枚のシートを巻き込み操作するのと同様に、電極シート１の巻き込み操作を速やかに行える（請求項４）。
【００１８】
電極シート１を巻き込んだ状態において、相手側極性の活物質層と対向しない領域において正極用の活物質層１０と負極用の活物質層１１とを省略することにより、正極側の集電体層８と、負極側の集電体層９とが露出するようにした二次電池によれば、起電に寄与しない領域に正負の活物質層１０・１１が形成される無駄を省け、電池要素３を小形化できる（請求項５）。
【００１９】
一体積層型の電極シート１を巻き込んで電池要素３を形成し、その最内周のシート面に導電タブ１３を固定し、電池要素３の最外周に露出する一方の集電体層８を、外装缶４の内面に直接接触させて、集電体層８と外装缶４を導通する二次電池によれば、正極側の導電タブ１２を省略でき、その分だけ二次電池の製造コストを節約できる（請求項６）。
【発明を実施するための最良の形態】
【００２０】
図１ないし図３は本発明に係る二次電池を示す。図３において二次電池は、電極シート１をセパレーター２とともに巻き込んで所定形状に形成される電池要素３と、電池要素３を収容する有底角筒状の外装缶４と、外装缶４の上面開口を塞ぐ蓋５と、外装缶４に封入される電解液などを含む。
【００２１】
図１において電極シート１は、絶縁性樹脂シート７の片面および他面に、それぞれ正極側の集電体層８と、負極側の集電体層９とを形成し、これら集電体層８・９の外面に正極用の活物質層１０と、負極用の活物質層１１とを形成し、正極側および負極側の集電体層８・９のそれぞれに導電タブ１２・１３を固定して、一体積層型の電極シートとして形成されている。
【００２２】
絶縁性樹脂シート７は、絶縁性に優れ、支障なく巻き込み操作できるプラスチック材、例えばポリエチレンテレフタレート、ポリエチレンナフタレート、ポリイミド、ポリアラミドなどを素材にして帯状に形成する。
【００２３】
正極側の集電体層８は、アルミニウム箔を絶縁性樹脂シート７に接着固定して、あるいはメッキ法や蒸着法によって形成する。負極側の集電体層９は、絶縁性樹脂シート７の片面に、銅を無電解又は電解メッキ法によって必要な厚みに析出させて形成されている。この際必要であれば、絶縁性樹脂シート７の片面に、蒸着、スパッタリング等により導電性薄膜１５を形成した後にメッキを施す。
【００２４】
正極用の活物質層１０は、正極側の集電体層８の外面にスラリー状に調整した溶液を塗布して乾燥したのち、プレスして形成する。塗布される溶液は、ＬｉＣｏＯ2 、ＬｉＮｉＯ2 、ＬｉＭｎ2 Ｏ4 、ＬｉＮｉ1/3 ＣＯ1/3 Ｍｎ1/3 Ｏ、ＬｉＦｅＰＯ4 などの無機酸化物に、導電性付与剤と結着剤と溶剤とを加えて形成してある。導電性付与剤としては、アセチレンブラック、ケッチングブラック、黒鉛、非晶質炭素などの単体、あるいは混合体を適用できる。結着剤としては、ポリフッ化ビニリデンや、ポリテトラフルオロエチレンなどのフッ素系材料と、スチレンブタジエンゴムなどのゴム系材料の単体、あるいは混合体を適用できる。
【００２５】
負極用の活物質層１１は、負極側の集電体層９の外面にスラリー状に調整した溶液を塗布して乾燥したのち、プレスして形成する。塗布される溶液は、リチウムを吸蔵し放出できる炭素系材料、チタン酸リチウム、のいずれかを主剤にして、これに導電性付与剤と結着剤と溶剤とを加えて形成する。リチウムを吸蔵し放出できる炭素系材料としては、非晶質炭素、人造黒鉛、天然黒鉛、フラーレン、ナノチューブなどを適用できる。リチウムを吸蔵し放出できるチタン酸リチウムとしては、Ｌｉ4 Ｔｉ5 Ｏ12、Ｌｉ2 Ｔｉ3 Ｏ7 などを適用できる。
【００２６】
導電性付与剤は、アセチレンブラック、ケッチングブラック、非晶質炭素などの単体、あるいは混合体を適用できる。結着剤としては、ポリフッ化ビニリデンや、ポリテトラフルオロエチレンなどのフッ素系材料と、スチレンブタジエンゴムなどのゴム系材料、ヒドロキシプロピルセルロースの単体、あるいは混合体を適用できる。
【００２７】
また、負極用の活物質として、金属リチウム、リチウム合金等、あるいはリチウムと合金化できるＳｎ、Ｓｉなどの金属を適用し、箔化した各金属を集電体層９の外面にプレスして密着固定し、あるいは各金属をスパッタリング、蒸着、あるいはメッキなどによって積層形成することもできる。
【００２８】
正極用の活物質層１０、および負極用の活物質層１１は、図に示すように、電極シート１を巻き込んで電池要素３を形成した状態において、相手側極性の活物質層と対向しない領域において、正極用の活物質層１０と負極用の活物質層１１とを省略して、正極側の集電体層８と負極側の集電体層９とを露出させる。
【００２９】
具体的には、図１の向かって右端の部分において、正極用の活物質層１０を省略して正極側の集電体層８を露出させ、その反対側に位置する負極側の集電体層９に負極側の導電タブ１３を超音波溶接する。同様に、図１の向かって左端の部分において、負極用の活物質層１１を省略して負極側の集電体層９を露出させ、その反対側に位置する正極側の集電体層８に正極側の導電タブ１２を超音波溶接する。正極側の集電体層８が露出する領域を符号１８で、負極側の集電体層９が露出する領域を符号１９で示した。なお、導電タブ１２・１３は、それぞれＮｉ箔で形成してある。
【００３０】
セパレーター２は、ポリエチレン、ポリプロピレン、あるいはこれらを積層したフィルムで形成してあり、シート面には無数の微細孔を有する。セパレーター２は正極用の活物質層１０の外面に接着することもできる。このように、セパレーター２を活物質層１０に接着して電極シート１と一体化すると、電極シート１を巻き込む際の、電極シート１とセパレーター２との巻きずれがないうえ、速やかに巻き込み操作できる。
【００３１】
上記のようにセパレーター２が積層された電極シート１は、正極側の導電タブ１２を始端にして、扁平に折り畳みながら巻き込む。得られた電池要素３においては、負極側の導電タブ１３が、電極シート１の最外周のシート面より内側に位置する。したがって、電池要素３を外装缶４に装填する際に、導電タブ１３が缶開口に引っ掛かるのを防止でき、電池要素３の外装缶４に対する組み込みを確実かつ容易に行うことができる。
【００３２】
外装缶４は、アルミニウム、あるいはステンレス鋼材製の板材を素材にして、深絞り加工を施して形成してあり、電極シート１の巻き込み構造の違いに応じて、形成素材を変更する。詳しくは、上記のように、電池要素３の最外周に正極側の活物質層１０が表れる場合には、アルミニウムで形成した外装缶４を使用する。電池要素３の最外周に負極側の活物質層１１が表れる場合には、ステンレス鋼材で形成した外装缶４を使用する。外装缶４に組み込まれる電池要素３は、その導電タブ１２・１３を予め蓋５の所定位置に溶接固定して、蓋５と一体化しておく。この後、蓋５をかしめ処理し、あるいはレーザー溶接によって外装缶４を密封し、図外の注液口から電解液を注入したのち、注液口を封止することにより二次電池を完成できる。
【００３３】
上記の実施例では、負極側の導電タブ１３を電極シート１の最外周シート面の内側に配置したが、図４および図５に示すように、負極側の導電タブ１３を電極シート１の最内周シート面の内側に配置してもよい。詳しくは、負極側の集電体層９が露出する領域１９において、正極側の導電タブ１２から十分に離れた位置に負極側の導電タブ１３を配置し、その一端を負極側の集電体層９に超音波溶接した。他の構成は先の実施例と同じであるので、同じ部材には同じ符号を付してその説明を省略する。以下の実施例においても同様に扱う。
【００３４】
図６および図７は電池要素３の更に別実施例を示す。そこでは電池要素３における最内周のシート面に負極側の導電タブ１３を固定し、さらに電池要素３の最外周に正極側の集電体層８が露出するように電極シート１を巻き込むようにした。この実施例においては、図７に示すように、電池要素３の最外周に露出する正極側の集電体層８を外装缶４の内面に直接接触させて、集電体層８と外装缶４とを電気的に導通するので、正極側の導電タブ１２を省略することができる。
【００３５】
上記の実施例では、電極シート１を扁平に折り畳みながら巻き込んだが、その必要はなく、渦巻状に巻き込んで電池要素３を円柱状に形成してもよい。
【図面の簡単な説明】
【００３６】
【図１】電極シートの断面図である。
【図２】電池要素の平面図である。
【図３】二次電池の縦断正面図である。
【図４】電極シートの別実施例を示す断面図である。
【図５】電池要素の別実施例を示す平面図である。
【図６】電極シートの更に別実施例を示す断面図である。
【図７】電池要素の更に別実施例を示す平面図である。
【符号の説明】
【００３７】
１  電極シート
２  セパレータ
３  電池要素
４  外装缶
７  絶縁性樹脂シート
８  正極側の集電体層
９  負極側の集電体層
１０  正極側の活物質層
１１  負極用の活物質層
１２・１３  導電タブ
【図１】
2005196974.tif 000003
【図２】
2005196974.tif 000004
【図３】
2005196974.tif 000005
【図４】
2005196974.tif 000006
【図５】
2005196974.tif 000007
【図６】
2005196974.tif 000008
【図７】
2005196974.tif 000009